(57)【要約】【課題】  消費電力を極力少なくすること及びユーザーにとって扱いやすい携帯端末装置を提供することを目的とする。【解決手段】  電源電圧を検出する回路と、表示部へ表示する際に、全画面表示と小さい画像と付加情報を同時に表示するアイコン表示の２つのモードをもつ携帯端末装置において、電池電圧が一定値以下になった際に、自動的にアイコン表示に移行することを特徴とする。【選択図】  図１
2006140701.tif 000002
【特許請求の範囲】
【請求項１】
電池電圧を検出する回路と、表示部へ表示する際に、全画面表示と小さい画像と付加情報を同時に表示するアイコン表示の２つのモードをもつ携帯端末装置において、電池電圧が一定値以下になった際に、自動的にアイコン表示に移行することを特徴とする携帯端末装置。
【請求項２】
電池電圧を検出する回路と、表示部へ表示する際に、全画面表示と小さい画像と付加情報を同時に表示するアイコン表示の２つのモードをもつ携帯端末装置において、電池電圧が一定値以下になった際に表示するアイコン表示と、ユーザー指示によって表示するアイコン表示を違えることを特徴とする携帯端末装置。
【請求項３】
電池電圧を検出する回路と、表示部へ表示する際に、全画面表示と小さい画像と付加情報を同時に表示するアイコン表示の２つのモードをもつ携帯端末装置において、電池電圧が一定値以下になった際に、自動的に小さい画像を伴うアイコン表示に移行し、さらに電池電圧が低下した際には、画像は表示せずに付加情報のみのアイコン表示を行うことを特徴とする携帯端末装置。
【請求項４】
電池電圧を検出する回路と、表示部へ表示する際に、全画面表示と小さい動画と付加情報を同時に表示するアイコン表示の２つのモードをもつ携帯端末装置において、電池電圧が一定値以下になった際に、自動的に小さい動画を伴うアイコン表示に移行し、さらに電池電圧が低下した際には、動画の代わりに静止画を表示するアイコン表示を行うことを特徴とする携帯端末装置。
【請求項５】
電池電圧を検出する回路と、表示部へ表示する際に、全画面表示と小さい画像と付加情報を同時に表示するアイコン表示の２つのモードをもつ携帯端末装置において、電池電圧が一定値以下になった際に、自動的に小さい画像を伴うアイコン表示に移行し、全画面表示への切り替えを禁止することを特徴とする携帯端末装置。
【請求項６】
電池電圧を検出する回路と、表示部へ表示する際に、全画面表示と小さい画像と付加情報を同時に表示するアイコン表示の２つのモードをもつ携帯端末装置において、省電力モードを選択された際には、アイコン表示のみを表示することを特徴とする携帯端末装置。
【発明の詳細な説明】
【技術分野】
【０００１】
本発明は、電池で動作する携帯端末装置の表示部に関する。
【背景技術】
【０００２】
近年、高解像度の液晶等の表示部を持った携帯端末装置が増えてきている。携帯端末装置は、携帯して長時間使用できることが必須であるため、消費する電力をなるべく少なくする省電力化が要求される。
【０００３】
既に提案されているものとしては、特開平１１−２６５１７２（東芝）において、電池の残量を検出して、検出した電池の残量に応じて表示画面を構成する表示信号を間引いたり、特開２００１−２３８１８９（キヤノン）において、検知された電源の状態に応じて、複数の処理ブロックの処理モード、クロック信号の周波数、電圧値を変更するといったことが提案されている。
【特許文献１】特開平１１−２６５１７２号公報
【特許文献２】特開２００１−２３８１８９号公報
【発明の開示】
【発明が解決しようとする課題】
【０００４】
しかしながら、特開平１１−２６５１７２においては、表示信号を間引くために専用のハードウェア回路が必要であるし、特開２００１−２３８１８９においては、処理ブロックの処理やクロック、電圧値を変更するため、ハード的に機能の制限を抑えたり、性能が著しく劣化することにもなりかねない。
【０００５】
本発明は、以上の従来技術における問題に鑑みてなされたものであって、全画面表示と小さい画像と付加情報を同時に表示するアイコン表示の２つのモードをもつことによって、ユーザーが要望する種々の処理を行える方法を提供することを目的とする。
【課題を解決するための手段】
【０００６】
前記課題を解決する本出願の第一の発明は、全画面表示と、小さい画像と付加情報を同時に表示するアイコン表示の２つのモードをもち、電池電圧が一定値以下になった際に、自動的にアイコン表示に移行することを特徴とする。
【０００７】
また、本出願の第二の発明においては、全画面表示と、小さい画像と付加情報を同時に表示するアイコン表示の２つのモードをもち、電池電圧が一定値以下になった際に表示するアイコン表示と、ユーザー指示によって表示するアイコン表示を違えることを特徴とする。
【０００８】
また、本出願の第三の発明においては、全画面表示と、小さい画像と付加情報を同時に表示するアイコン表示の２つのモードをもち、電池電圧が一定値以下になった際に、自動的に小さい画像を伴うアイコン表示に移行し、さらに電池電圧が低下した際には、画像を表示せずに付加情報のみのアイコン表示を行うことを特徴とする。
【０００９】
また、本出願の第四の発明においては、全画面表示と、小さい画像と付加情報を同時に表示するアイコン表示の２つのモードをもち、電池電圧が一定値以下になった際に、自動的に小さい動画を伴うアイコン表示に移行し、さらに電池電圧が低下した際には、動画の代わりに静止画を表示するアイコン表示を行うことを特徴とする。
【００１０】
また、本出願の第五の発明においては、全画面表示と、小さい画像と付加情報を同時に表示するアイコン表示の２つのモードをもち、電池電圧が一定値以下になった際に、自動的に小さい画像を伴うアイコン表示に移行し、全画面への切り替えを禁止することを特徴とする。
【００１１】
また、本出願の第六の発明においては、全画面表示と、小さい画像と付加情報を同時に表示するアイコン表示の２つのモードをもち、省電力モードを選択された場合には、アイコン表示のみを表示することを特徴とする。
【発明の効果】
【００１２】
以上説明したように、請求項１の本実施形態によれば、全画面表示とアイコン表示という２つの画面をもち、電池電圧が低下した場合には、より消費電力が少ないアイコン表示に切り替えることによって、端末の稼動時間を長くして、ユーザーにとって使いやすい携帯端末装置を提供する。
【００１３】
請求項２の本実施形態によれば、電池電圧が一定値になった際に表示するアイコン表示とユーザーの操作によって切り替わるアイコン表示を違えることにより、ひと目で電池電圧が低下していることがわかり、ユーザーによってすぐ対応がとれる携帯端末装置を提供する。
【００１４】
請求項３の本実施形態によれば、電池電圧の低下に２つのレベルを設けて、画像を表示するアイコン表示と画像を表示しないアイコン表示を行える。これにより、電池電圧の低下の度合いがユーザーにわかりやすくなり、よりユーザーによって使い勝手のよい携帯端末装置を提供できる。
【００１５】
請求項４の本実施形態によれば、動画を表示している場合に、電池電圧が低下した場合に、小さい画面の動画を伴うアイコン表示と、静止画のアイコン表示を行うことにより、よりきめの細かい省電力制御が可能になり、なるべく画像を表示しながら、長く稼動でき、ユーザーにとって使いやすい携帯端末装置を提供する。
【００１６】
請求項５の本実施形態によれば、電池電圧が低下した場合に、自動的にアイコン表示に移行し、その後、全画面への切り替えを禁止するため、より長い時間の画像表示が可能になり、ユーザーにとって実用的な携帯端末装置を提供できる。
【００１７】
請求項６の本実施形態によれば、省電力モードを設けて、その際には、アイコン表示のみとすることにより、装置自体の稼動時間を長くすることが可能になり、より実用的な携帯端末装置を提供できる。
【発明を実施するための最良の形態】
【００１８】
以下、本発明の一実施形態を図面に基づいて説明する。図１は、本発明に係る携帯端末装置を示すブロック図である。
【００１９】
１０１は、マイクロプロセッサ等のサブＣＰＵであって、後述するキー入力部から、キーを検出し、そのイベントを後述のメインＣＰＵに伝える。また、メインＣＰＵの制御を行い、装置全体の電源を制御するものである。このＣＰＵは、ＲＯＭ／ＲＡＭを内蔵している。１０２は、電源及び上下左右、セット、モード、メニュー等のキーを入力するキー入力部である。サブＣＰＵ１０１は、キー入力部１０２が検出したキーを受信すると、そのキーに従って、メインＣＰＵの制御やキーの通知を行う。１０３は、マイクロプロセッサ等のメインＣＰＵであって、後述する本端末装置の各部分を使用して、本端末の処理を実行するものである。本ＣＰＵには、電源をセーブするためのモードが用意されており、サブＣＰＵ１０１によって、制御されて電源管理を行うことが可能である。
【００２０】
１０４は、メインＣＰＵ１０３を制御するためのプログラムの蓄積及び、ファイルシステムを実装する書き換え可能なフラッシュＲＯＭである。１０５は、ＲＡＭであって、フラッシュＲＯＭ１０４に蓄積されているプログラムがロードされ、実行される領域である。また、そのプログラムが使用するワーク領域としても使用される。ＲＡＭディスクとしてファイルの読み書きにも使用される。１０６は、液晶等の表示部であり、アプリケーション等によって、文字、画像、オペレーション画面等が表示される。
【００２１】
１０７は、コンパクトフラッシュ（登録商標）、ＳＤ等のスロットを持ち、メモリカード等の補助記憶媒体が挿入される補助記憶部である。１０８は、カメラ等の画像を撮影する撮影部である。１０９は、電池電圧の変化を検出してイベントを通知する電源電圧検出部であり、１１０は、メインＣＰＵとサブＣＰＵが通信を行うためのシリアルインターフェースである。１１１は、メインＣＰＵのシステムバスである。
【００２２】
図２、図３は、本発明の一実施例を示すアイコン画面と全画面表示の画面である。図２は、中央にファインダーからの画像や静止画、動画等を小さい画面で表示し、その周辺に、電池残量、ＣＦカード、アプリケーションアイコン、カメラ設定、スタンバイ／記録中等の状況表示、ズーム率、ボリューム、記録方式、記録開始からの時間、記録可能な時間長等のさまざまな付加情報を表示する画面である。図３は、全画面表示の画面であり、ファインダーの画像や静止画、動画等を全画面に表示する画面である。
【００２３】
以上の構成の携帯端末装置において、以下に動作を説明する。
【００２４】
図４は、請求項１に該当する一実施例を説明するためのフローチャートである。
【００２５】
まず、アプリがスタートすると、ステップＳ４０１において、ＲＡＭ１０５に、画面のモードを決定するフラグＧＡＭＥＮ＝１（全画面表示）と、バッテリーの状態を示すフラグＢＡＴＴＥＲＹ＝０（正常）をセットする。次に、ステップＳ４０２において、画像等を、表示部１０６に全画面表示する。ステップＳ４０３において、サブＣＰＵ１０１や撮影部１０８等からのイベントを待つ。何らかのイベントが発生するとステップＳ４０４に進み、キー入力部１０２からのキーのイベントかどうかを判断する。もし、キーのイベントである場合は、ステップＳ４０５に進み、バッテリーの状態を確認する。もし、ＢＡＴＴＥＲＹ＝１で低電圧の場合には、それ以前に電源電圧検出部１０９からの低電圧のイベントを検出して、アイコン表示になっているので、何もせずに、ステップＳ４０３に戻って、次のイベントを待つ。ＢＡＴＴＥＲＹの内容が１ではなく、正常な場合には、ステップＳ４０６に進んで、キーが画面を変更するためのキーであるＳＥＴキーであるかどうかを判断する。ＳＥＴキーの場合には、ステップＳ４０７に進んで、現在の画面の状態を調べるために、ＲＡＭ１０５にあるＧＡＭＥＮの内容を調べる。ＧＡＭＥＮ＝１（全画面表示）の場合には、ステップＳ４０８に進んで、表示部１０６への表示を図２のようなアイコン表示に変更する。次にステップＳ４０９において、ＲＡＭ１０５内のＧＡＭＥＮ＝２（アイコン表示）として、ステップＳ４０３に戻って次のイベントを待つ。ステップＳ４０６において、ＳＥＴキー以外の場合には、ステップＳ４１０に進んで、各アプリケーションの仕様に従って、他のキーの処理を行い、ステップＳ４０３に戻って次のイベントを待つ。
【００２６】
ステップＳ４０７において、ＧＡＭＥＮが１ではない場合は、ステップＳ４１８においてＧＡＭＥＮ＝２（アイコン表示）であるかどうかを確認する。アイコン表示の場合には、ステップＳ４１９において、表示部１０６に画像等を全画面表示して、ステップＳ４２０において、ＲＡＭ１０５上のＧＡＭＥＮ＝１として、ステップＳ４０３に戻って次のイベントを待つ。ステップＳ４１８において、ＧＡＭＥＮの内容が１でも２でもない場合は、エラーであるので、ステップＳ４２１において、表示部１０６にエラー表示をして、ステップＳ４０３に戻って、次のイベントを待つ。
【００２７】
ステップＳ４０４において、イベントがキーでない場合には、ステップＳ４１１において、低電圧を示すイベントかどうかを判断する。低電圧のイベントの場合には、ステップＳ４１２で、表示部１０６にアイコン表示画面を表示し、ステップＳ４１３でＲＡＭ１０５上の電池電圧の状態を示すフラグＢＡＴＴＥＲＹ＝１（低電圧）として、ステップＳ４０３に戻って、次のイベントを待つ。ステップＳ４１１で電源電圧部１０９からのイベントが低電圧でない場合には、ステップＳ４１４に進み、イベントが適正電圧かどうかを確認して、適正電圧の場合には、ステップＳ４１５において、表示部１０６に画像等を全画面表示し、ステップＳ４１６において、ＲＡＭ１０５上のフラグをＢＡＴＴＥＲＹ＝０、ＧＡＭＥＮ＝１にセットして、ステップＳ４０３に戻って次のイベントを待つ。ステップＳ４１４において、適正電圧のイベントでない場合には、ステップＳ４１７に進んで、各アプリケーションがその他のイベントを処理して、ステップＳ４０３に戻って次のイベントを待つ。
【００２８】
本発明の請求項２においては、あらかじめ２種類のアイコン表示を用意し、ユーザーの操作、つまりセットキーのよってアイコン表示にする場合と、低電圧のイベントによってアイコン表示にする場合で、違ったアイコン表示画面にする。
【００２９】
請求項３においては、電池電圧が一定値以下になった際に、図２の小さな画像を伴うアイコン表示を行い、さらに電池電圧が低下した場合には、画像の表示をせずに文字の表示だけとする。
【００３０】
請求項４においては、動画を全画面で表示している場合に、電池電圧が一定値以下になった際に、自動的に小さな動画を伴うアイコン表示にし、さらに電池電圧が低下した場合には、動画ではなく、その動画の中の１フレームの静止画のみを表示するアイコン表示を行う。
【００３１】
請求項５においては、電池電圧が一定値以下になった際に、自動的にアイコン表示画面に移行し、この後、ユーザーの操作によっても全画面表示へ移行しないようにする。
【００３２】
請求項６においては、省電力モードという設定を設け、その設定の場合には、常にアイコン表示のみを表示するようにする。
【００３３】
（その他の実施形態）
本実施例においては、アイコン表示として、単に画像のサイズを小さくして表示したが、色数を少なくしたり、明るさをおとしたり、動画であれば、フレーム数を落とすことにより消費電力を小さくすることも可能である。
【００３４】
本実施例においては、画面表示として、アイコン表示と全画面表示の２種類のみであった、もっと違う画面を設けて、さらにきめの細かい制御を行うことも可能である。
【図面の簡単な説明】
【００３５】
【図１】本発明に請求項１に係わる携帯端末装置の構成を示すブロック図である。
【図２】本発明の一実施例におけるアイコン表示の画面である。
【図３】本発明の一実施例における全画面表示の画面である。
【図４】本発明の請求項１における処理を説明するためのフローチャートである。
【符号の説明】
【００３６】
１０１  サブＣＰＵ
１０２  キー入力部
１０３  メインＣＰＵ
１０４  フラッシュＲＯＭ
１０５  ＲＡＭ
１０６  表示部
１０７  補助記憶部
１０８  撮影部
１０９  電源電圧検出部
１１０  シリアルインターフェース
１１１  システムバス
【図１】
2006140701.tif 000003
【図２】
2006140701.tif 000004
【図３】
2006140701.tif 000005
【図４】
2006140701.tif 000006